(57)【要約】【課題】簡単な形状で、脱着が容易で清掃が簡単なコストを低減した洋式便器を提供する。【解決手段】便器ボウル４とこの便器ボウル４の上部にリム５が設けられて便器本体２が形成されてなる洋式便器１であって、前記便器ボウル２の外側周囲を覆い、かつ、前方に取り外すカバー部材３を設け、便器本体２には、座って使用した場合の荷重を支えるために、複数の支柱７が設けられると共に、ガイド８が設けられ、カバー部材３が便器本体２のリム５と面一になるようにされている。これにより、カバー部材３の取り外しと洗浄が容易にできる。【選択図】図１
2007255029.tif 000002
【特許請求の範囲】
【請求項１】
便器ボウルと該便器ボウル上部にリムが設けられて便器本体が形成されてなる洋式便器であって、前記便器ボウルの外側周囲を覆い、かつ、前方に取り外すカバー部材を設けたことを特徴とする洋式便器。
【請求項２】
前記カバー部材を前記便器本体に装着するためのガイドを設けたことを特徴とする請求項１に記載の洋式便器。
【請求項３】
前記カバー部材が前記リムの少なくとも前面の周面と面一にされてなることを特徴とする請求項１又は２記載の洋式便器。
【請求項４】
前記カバー部材は床面に達して装着されることを特徴とする請求項１ないし３のいずれか一項記載の洋式便器。
【発明の詳細な説明】
【技術分野】
【０００１】
本発明は、座って用を足す洋式便器に関し、特には、取り外して汚れの清掃が容易な洋式便器に関する。
【背景技術】
【０００２】
洋式便器で男性が小用を足す場合、大半の男性は立って用を足す。この際、尿が散って便器ボウルのリムに付着したり、たれたりすることが頻繁にある。このように汚れた便器を清掃する場合、便器は、通常狭い空間に設置されていることが多いので、狭い空間で清掃するのは大変骨が折れることが多い。特に、バーやスナック等の飲食店ではトイレの設置場所が狭く、前方から出入りして使用する洋式トイレしかない場合が多く、便器を汚す機会が多く、清掃しなければならないことが多い。
【０００３】
ところで、従来より便器ボウルのリムの汚れを防止するための提案や、リムの外側面に付いた汚れに着衣や足が触れて汚れないように改良を加えた便器に対する提案は種々なされている。しかし、便器の汚れを清掃するために取り外しができる便器カバーに関する提案は少ない。僅かに、他の目的で便器下方をカバーで覆う便器が提案されている（例えば特許文献１）。
【０００４】
特許文献１のものは、壁掛け式便器であり、従来は、複雑な形状の便器を見映えをよく保つために、排水トラップなどを覆うように一体成形により製造していた。それを、便器本体は簡単な形状にし、排水トラップなどはカバーで覆って見映えを良くし、重量の軽減と製造コストの低減を図ったものである。そのため、カバーは鉢部（ボウル部）下面を含む側面部の全体を被覆するように構成している。
【特許文献１】特開平１０−７２８６０号公報
【発明の開示】
【発明が解決しようとする課題】
【０００５】
特許文献１のものは、壁掛け式便器であり、上下方向に着脱するようになっており、そのため、強固な固定が必要であり、やや複雑な形状になり、脱着が面倒で、コストもアップする。
【０００６】
本発明は、上記の課題を解決するためになされたもので、簡単な形状で、脱着が容易で清掃が容易なコストを低減した洋式便器を提供することを目的とする。
【課題を解決するための手段】
【０００７】
上記の目的を達成するために、請求項１記載の発明に係る洋式便器は、便器ボウルと該便器ボウル上部にリムが設けられて便器本体が形成されてなる洋式便器であって、前記便器ボウルの外側周囲を覆い、かつ、前方に取り外すカバー部材を設けたことを特徴とする。
【０００８】
請求項２記載の発明に係る洋式便器は、請求項１記載の発明において、前記カバー部材を前記便器本体に装着するためのガイドを設けたことを特徴とする。
【０００９】
請求項３記載の発明に係る洋式便器は、請求項１又は２記載の発明において、前記カバー部材が前記リムの少なくとも前面の周面と面一にされてなることを特徴とする。
【００１０】
請求項４記載の発明に係る洋式便器は、請求項１ないし３記載の発明において、前記カバー部材は床面に達して装着されることを特徴とする。
【発明の効果】
【００１１】
請求項１記載の発明によれば、洋式便器はカバー部材は便器本体の外部を覆うように装着し脱着できるように形成するだけでよいので、構造が簡単でコストも低くできる。また、汚れの清掃は取り外してでき、カバー部材の清掃は勿論のこと、床面に流れ落ちた汚れの清掃も容易にできる。又、汚れがそれ程ひどくない場合には、カバー部材に装飾を施して、癒しの効果を得るようにすることが容易にできる。
【００１２】
請求項２記載の発明によれば、請求項１の効果に加え、脱着が容易になり、確実に装着できる。
【００１３】
請求項３記載の発明によれば、請求項１の効果に加え、汚れの流れを確実にカバーで案内でき、清掃し難い便器本体の清掃をなくすことができ、清掃が容易なカバー部材を清掃すればよいから、清掃が一層容易にできるようになる。
【００１４】
請求項４記載の発明によれば、請求項１の効果に加え、便器本体を支えることができ、部洋式便器の耐久性を向上することができる。
【発明を実施するための最良の形態】
【００１５】
以下、本発明の実施の形態について、図面を参照して詳しく説明する。
［実施の形態１］
図１は本発明の実施の形態１における洋式便器の分解斜視図である。この実施の形態１の洋式便器１は、便器本体２とカバー部材３とから構成され、便器本体２はプラスチックから成形され、便器ボウル４と便器ボウル４上部に設けられたリム５を有している。
【００１６】
便器本体２の後方部は、図示していない給水配管、排水トラップ等が配置され、覆い材６で覆われている。便器本体２は、床に設置する形式であるので、座って使用した場合の荷重を支えるために、複数の支柱７が設けられている。これにより、覆い材６の他に、支柱７で支えられるので、強度が向上する。また、便器本体２にはガイド８が設けられ、カバー部材３が便器本体２のリム５及び覆い材６の外面と面一になるようにされている。ガイド８は本実施の形態では、支持部材７にねじ止めされるようになっている。
【００１７】
カバー部材３は、プラスチックからなる板状の部材がU字形状に成形されて構成されている。そして、カバー部材３の上縁３ａの曲線はリム５の周囲に沿って取り付けた場合面一になるように形成され、下縁３ｂはガイド８に弾性変形して密着するようにされ、両端部の先端縁３ｃは覆い材６の端縁に密接するようにされている。
【００１８】
また、カバー部材３は、着色、写真、絵画を印刷、貼付等により付して装飾効果を高めたり、わに皮、とかげ皮等の動物の革張りや布張りとして豪華感を出すようにしたり、癒し効果を得るような装飾の加工を施しても良い。このような加工は、汚れがそれ程でない場合や洗浄可能に装飾を施す場合には特に好ましい。
【００１９】
本実施の形態のように構成した洋式便器１にカバー部材３を取り付けるには、カバー部材３を便器本体２前方から、上縁３ａをリム５の縁に沿わせて装着する。それと共に、下縁３ｂの先端をガイド８の外面に沿わせて差し込み、上縁３ａをリム５の縁に沿って面一にしてリム５の先端部を覆うと共に、端縁３ｃを覆い材６の端に当接すると共に、段差がない面一に取り付ける。そして、図示していないねじをカバー部材３のねじ挿通穴３ｄに挿通し、本体２側に設けたねじ穴８aにねじ止めすることにより固定する。
【００２０】
一方、洗浄する場合は、ねじをはずして、カバー部材３を前側に取り外して、洗い場等に運んで洗浄することができ、その結果、便器の清潔さを容易に維持することができることになる。また、カバー部材３を前側に取り外すので、その脱着が容易にでき、異なる装飾を施したものを適宜、交換することで意匠を楽しむことができる。
【００２１】
従来、便器３の汚れは便器本体で受けるようになっており、便器本体を清掃しなければならず、その清掃は狭いところでしなければならないので大変面倒であった。しかし、本願発明では脱着できるカバー部材３で汚れを受けるようにしたので、便器本体を清掃しなくてもよく、カバー部材３を取り外して清掃すればよいから、清掃が容易で手間がかからず、きれいに清掃できる。また、便器本体２の前方の床面についても、カバー部材３を取り外して清掃することができるから、その位置の清掃も特に面倒になるということはない。
【００２２】
なお、本実施の形態のようにねじ挿通穴３ｄをカバー部材３下方にのみ設けると、カバー部材３を取り付ける時の位置関係が明らかになるので好ましいが、複数個所で止めるようにしても良いし、ねじでなくクリップ、両面テープ、面ファスナー等他の固定方法であっても良い。
【００２３】
なお、プラスチック製の洋式便器であっても、上記実施の形態のものに限られないことは勿論である。例えば、上記実施の形態では、便器本体２はプラスチックから成形され、便器ボウル４と便器ボウル４上部に設けられたリム５を有しているが、これらは別体で構成されたものでも良いし、一体に形成されたものでも良い。
［実施の形態２］
図２は本発明の実施の形態２における洋式便器の分解斜視図である。この実施の形態の洋式便器の便器本体は、陶器から形成されている点で実施の形態１と相違を有しているのみであるので、共通する部分については同一符号を付して、詳細な説明は省略する。
【００２４】
便器本体２とカバー部材３とから構成され、便器本体２は陶器から成形され、便器本体２は便器ボウル４と便器ボウル４上部に設けられたリム５を有している。便器本体２の後方部は、図示していない給水配管、排水トラップ等が配置されている。便器本体２は、床に設置する形式であるので、座って使用した場合の荷重を支えるようにされている。
【００２５】
カバー部材３は、プラスチックの板状のものがU字形状に成形されてなっている。そして、カバー部材３の上縁３ａの曲線はリム５の周囲に沿って弾性変形して密着して、リム５と面一になるように形成され、下縁３ｂは床面に接触するようにされ、便器本体２の前面とカバー部材３の後方の床面（図２の符号Ｓの部分）の掃除が容易にできるようにされている。また、カバー部材３の装飾等は上記実施の形態と同様にして良い。
【００２６】
このように本願発明に係る洋式便器は、プラスチック製の便器本体であっても陶器製の便器本体であっても、適用することができる。本願発明に係る洋式便器は、取り外しが容易であって、清掃が容易であり、意匠効果を加えたものとすることもできる上、コストも安価にできる。
【図面の簡単な説明】
【００２７】
【図１】本発明に係る洋式便器の実施の形態１を示す斜視図である。
【図２】本発明に係る洋式便器の実施の形態２を示す斜視図である。
【符号の説明】
【００２８】
１  洋式便器
２  便器本体
３  カバー部材
４  便器ボウル
５  リム
８  ガイド
【図１】
2007255029.tif 000003
【図２】
2007255029.tif 000004